(57)【要約】【課題】金属缶の製造過程において生じ、缶の内面に付着して残留している金属粉その他の塵埃を除去できるようにした、缶の清掃装置。【解決手段】地板が巻締められ天板巻締め予定部側が開口している缶を地板の外側から保持する缶保持手段と、缶の胴部及び地板から構成される缶内部に開口部を介して挿脱可能な除塵機構と、缶保持手段を除塵機構の方向に移動させて除塵機構を缶内部に開口部を介して挿脱させる機構及び／又は除塵機構を缶の方向に移動させて缶内部に開口部を介して挿脱させる機構とからなり、除塵機構は缶内部に向けてエアーを噴出するエアー噴出口と吸込み口とを備え、除塵機構が開口部を介して缶内部に挿脱する動作に従ってエアー噴出口と吸込み口とが缶内部を移動する。【選択図】図１
2007209872.tif 000002
【特許請求の範囲】
【請求項１】
地板が巻締められ、天板巻締め予定部側が開口している缶を、地板の外側から保持する缶保持手段と、
缶の胴部及び地板から構成される缶内部に前記開口部を介して挿脱可能な除塵機構と、
前記缶を地板の外側から保持している状態の前記缶保持手段を前記除塵機構の方向に移動させて、前記除塵機構を前記缶内部に前記開口部を介して挿脱させる機構及び／又は前記除塵機構を前記缶保持手段により地板の外側から保持されている前記缶の方向に移動させて前記缶内部に前記開口部を介して挿脱させる機構とからなり、
前記除塵機構は、前記缶内部に向けてエアーを噴出するエアー噴出口と、吸込み口とを備えており、前記除塵機構が前記開口部を介して前記缶内部に挿脱する動作に従って前記エアー噴出口と前記吸込み口とが前記缶内部を移動することを特徴とする缶の清掃装置。
【請求項２】
除塵機構は、側壁に前記吸込み口が形成されている吸引胴を備えており、除塵機構が前記開口部を介して前記缶内部に挿入される側における当該吸引胴の先端側に前記エアー噴出口が配備されていることを特徴とする請求項１記載の缶の清掃装置。
【請求項３】
吸引胴の前記先端側に回転盤が配備されており、吸引胴の前記先端側に配備されているエアー噴出口は当該回転盤に配備されていることを特徴とする請求項２記載の缶の清掃装置。
【請求項４】
吸引胴は、前記缶の胴部において上下方向に延びる缶接合部に先端開口が臨むエアー噴出ノズルを備えている請求項２又は３に記載の缶の清掃装置。
【発明の詳細な説明】
【技術分野】
【０００１】
この発明は、金属缶の内部を清掃する装置に関し、特に、地板が巻締められ、天板巻締め予定部側が開口している状態の缶にオイル等の収容物を収容し、密封する前に、缶の胴部及び地板から構成される缶内部に残っているおそれのある塵埃などを、前記缶内部から除去することに適した缶の清掃装置に関する。
【背景技術】
【０００２】
金属缶の製造においては、胴部の接合や、胴部と地板の巻締めの際などの製造過程で、金属粉やその他の塵埃が金属缶内部に付着して残留することがある。そのため、缶へ内容物を充填する際には、種々の方法、手段によって内部を清掃することが行われている。
【０００３】
例えば、天板と地板が胴部に取り付けられたドラム缶の内部を清掃する方法として、天板に設けられた二つの口金を通して圧縮エアーを噴出する管と、噴出したエアーを吸い込む管を挿入し、ドラム缶内に旋回流を生じさせて、エアーの吸い込みと同時にドラム缶内の塵埃も除去するようにした方法が提案されている（特許文献１）。
【特許文献１】特開平５−１８５０５０号公報
【発明の開示】
【発明が解決しようとする課題】
【０００４】
ドラム缶に関しては前述したように、ドラム缶内に圧縮エアーを噴出させ、一方で、噴出したエアーを吸い込むことにより、ドラム缶内に旋回流を生じさせて、エアーの吸い込みと同時にドラム缶内の塵埃除去を行う方法が提案されているが、一般的な缶の清掃装置に関しては特に提案がされていなかった。特に、地板が巻締められ、天板巻締め予定部側が開口している状態の缶にオイル等の収容物を収容し、密封する前に、缶の胴部及び地板から構成される缶内部に残っているおそれのある塵埃などを、作業効率よく、効果的に、前記缶内部から除去することに適した缶の清掃装置についての提案はされていなかった。
【０００５】
この発明は、金属缶などの缶の清掃装置であって、地板が巻締められ、天板巻締め予定部側が開口している状態の缶にオイル等の収容物を収容し、密封する前に、缶の胴部及び地板から構成される缶内部に残っているおそれのある塵埃などを、作業効率よく、効果的に、前記缶内部から除去することに適した缶の清掃装置を提供することを目的にしている。
【課題を解決するための手段】
【０００６】
上記の目的のもとに成されたこの発明の缶の清掃装置は、地板が巻締められ、天板巻締め予定部側が開口している缶を、地板の外側から保持する缶保持手段と、缶の胴部及び地板から構成される缶内部に前記開口部を介して挿脱可能な除塵機構と、前記缶を地板の外側から保持している状態の前記缶保持手段を前記除塵機構の方向に移動させて、前記除塵機構を前記缶内部に前記開口部を介して挿脱させる機構及び／又は前記除塵機構を前記缶保持手段により地板の外側から保持されている前記缶の方向に移動させて前記缶内部に前記開口部を介して挿脱させる機構とからなり、前記除塵機構は、前記缶内部に向けてエアーを噴出するエアー噴出口と、吸込み口とを備えており、前記除塵機構が前記開口部を介して前記缶内部に挿脱する動作に従って前記エアー噴出口と前記吸込み口とが前記缶内部を移動することを特徴とするものである。
【０００７】
本発明の缶の清掃装置は、前述したように、前記缶を地板の外側から保持している状態の前記缶保持手段を前記除塵機構の方向に移動させて、前記除塵機構を前記缶内部に前記開口部を介して挿脱させる機構及び／又は前記除塵機構を前記缶保持手段により地板の外側から保持されている前記缶の方向に移動させて前記缶内部に前記開口部を介して挿脱させる機構を備えている。
【０００８】
そこで、缶を地板の外側から保持している状態の缶保持手段を除塵機構の方向に移動させて、除塵機構を缶内部に開口部を介して挿脱させる機構が配備されている場合には、除塵機構の位置を固定しておき、缶を地板の外側から保持している状態の缶保持手段を除塵機構の方向に移動させ、除塵機構を缶内部に開口部を介して挿脱させることができる。
【０００９】
一方、除塵機構を缶保持手段により地板の外側から保持されている缶の方向に移動させて缶内部に開口部を介して挿脱させる機構が配備されている場合には、缶保持手段の位置を固定しておき、除塵機構を缶保持手段により地板の外側から保持されている缶の方向に移動させて缶内部に開口部を介して挿脱させることができる。
【００１０】
また、缶を地板の外側から保持している状態の缶保持手段を除塵機構の方向に移動させて、除塵機構を缶内部に開口部を介して挿脱させる機構と、除塵機構を缶保持手段により地板の外側から保持されている缶の方向に移動させて缶内部に開口部を介して挿脱させる機構との双方を備えている場合には、缶を地板の外側から保持している状態の缶保持手段を除塵機構の方向に移動させると同時に、除塵機構を缶保持手段により地板の外側から保持されている缶の方向に移動させ、除塵機構を缶保持手段により地板の外側から保持されている缶内部に開口部を介して挿脱させることができる。
【００１１】
いずれの形態であっても、缶保持手段によって、地板が巻締められた缶を、地板の外側から位置決めして保持し、この位置決めされて保持されている缶の内部に前記開口部を介して除塵機構を進入及び退避させることができる。
【００１２】
そして、前述したように、前記除塵機構は、前記缶内部に向けてエアーを噴出するエアー噴出口と、吸込み口とを備えており、前記除塵機構が前記開口部を介して前記缶内部に挿脱する動作に従って前記エアー噴出口と前記吸込み口とが前記缶内部を移動するので、前記除塵機構が前記開口部を介して前記缶内部に挿脱する動作に従って、缶内部に向けてエアーを噴出するエアー噴出口と、この噴出されたエアーによって缶内部から除去された塵埃を吸い込む吸込み口とが、一体になって、缶内部を移動するものである。
【００１３】
前記において、除塵機構は、側壁に前記吸込み口が形成されている吸引胴を備えており、除塵機構が前記開口部を介して前記缶内部に挿入される側における当該吸引胴の先端側に前記エアー噴出口が配備されている形態にすることができる。
【００１４】
また、この場合、吸引胴の前記先端側に回転盤が配備されており、吸引胴の前記先端側に配備されているエアー噴出口は当該回転盤に配備されている形態にすることができる。
【００１５】
更に、吸引胴は、前記缶の胴部において上下方向に延びる缶接合部に先端開口が臨むエアー噴出ノズルを１又は複数個備えている形態にすることができる。
【００１６】
前記において、エアー噴出口からは、連続的又は間欠的にエアーを噴出させることができる。例えば、吸引胴の前述した先端側に回転盤が配備されており、この回転盤にエアー噴出口が配備されている場合、前記の吸引胴の中を貫通するように回転支持ロッドを配備し、この回転支持ロッドの先端（頂点）側に前記回転盤を取り付け、前記エアー噴出口を、回転支持ロッドを通して導入されるエアー供給管と連通し、エアー供給管にエアーを連続的又は間欠的に供給するエアー供給手段を接続する構成を採用することができる。
【００１７】
また、缶の胴部で上下方向に延びる缶接合部に臨んで、当該缶接合部にエアーを吹き付ける前記のエアー噴出ノズルからのエアーの噴出も、連続的又は間欠的にすることができる。この場合も、前記吸引胴を通して導入されたエアー供給管とエアー噴出ノズルとを連通し、エアー供給管にエアーを連続的又は間欠的に供給するエアー供給手段を接続する構成にすることができる。
【発明の効果】
【００１８】
以上のように構成されるこの発明の缶の清掃装置によれば、缶保持手段によって、地板が巻締められた缶を、地板の外側から位置決めして保持し、この位置決めされて保持されている缶の内部に前記開口部を介して除塵機構が進入及び退避する。
【００１９】
そして、この除塵機構の進入、退避に際して、缶内部に向けてエアーを噴出するエアー噴出口と、この噴出されたエアーによって缶内部から除去された塵埃を吸い込む吸込み口とが、一体になって、缶内部を移動するので、前記エアー噴出口を通してエアーを噴出させると、缶の地板及び胴部に付着、残留している金属粉その他の塵埃を除去し、この除去された塵埃は吸込み口を通して集塵することができる。
【００２０】
したがって、エアーで除去した塵埃を周囲に飛散させることなく効率よく集塵して、缶内部に残留しないようにし、缶の清掃を簡単にかつ能率よく完了することができる。
【発明を実施するための最良の形態】
【００２１】
以下、清掃対象の金属缶が１８リッター缶（角缶）である場合における、この発明の実施の形態を添付の図を参照して説明する。
【００２２】
図１は、本発明の缶の清掃装置の構成の一例を表している。
【００２３】
１８リッター缶１０は、胴部１１の一端に地板１２が巻締められている一方、他端の天板（図示せず）が巻締められる端部１３が開口している。
【００２４】
本発明の缶の清掃装置は、１８リッター缶１０を、地板１２の外側から保持する缶保持手段２０と、この缶保持手段２０に対向して設置した除塵機構４０とで構成されている。
【００２５】
１８リッター缶１０を保持する缶保持手段２０は、図示の実施形態では、略方形の基板２１と、基板２１の下面に複数（図５は４個の場合を表している）設けられた吸盤２２で構成され、各吸盤２２が図示しない真空排気系に接続されて真空チャックを構成している。前記吸盤２２を介して構成した真空チャックによって、１８リッター缶１０の地板１２外面を吸着することで、図示の例では、１８リッター缶１０を基板２１の下方に、開口部１４を下向きにして保持できるようにしてある。
【００２６】
図示の本発明の缶の清掃装置には、除塵機構４０を缶保持手段２０により地板１２の外側から保持されている１８リッター缶１０の方向に移動させて１８リッター缶１０内部に開口部１４を介して挿脱させる機構が配備されている。
【００２７】
すなわち、図示の例では、除塵機構４０は、缶保持手段２０に吸着されて保持されることによって位置決めされた１８リッター缶１０に対して、開口部１４を介して、缶内部に進入できる位置に昇降可能に設置されている。
【００２８】
除塵機構４０は、図１、図２、図３に示されているように、１８リッター缶１０の胴部１１の内側に胴部内面と所定の間隙を保って進入できるようにした、筒状の吸引胴４１と、吸引胴４１の上側に配置された円盤形の回転盤４２とを備えている。回転盤４２は、吸引胴４１の外側に突出しない径とされている。
【００２９】
吸引胴４１は、上端部が閉塞板４３で塞がれている。また、下部は、吸引胴４１より細い排気胴４４に略直角をなして連続しており、排気胴４４の外端部に図示しない排気管を接続し、排気管を介して図示しない集塵装置と接続できるようにされている。
【００３０】
吸引胴４１の上部各側壁には吸込み口４５が形成され、各吸込み口４５が１８リッター缶１０の胴部１１の内面とそれぞれ対向するようにされている。
【００３１】
回転盤４２は、吸引胴４１の中心軸に沿って回転自在に設置された回転支持ロッド４６の上端に連結されて支持されている。
【００３２】
回転支持ロッド４６の内部にはエアー供給管４７が導入されている。回転盤４２の上面には、図３に示されているように、十文字状のリブ４８が設けられている。リブ４８の先端は回転盤４２の外周と略一致している。
【００３３】
本発明の缶の清掃装置では、除塵機構４０が１８リッター缶１０の開口部１４を介して１８リッター缶１０内部に挿入される側における吸引胴４１の先端側にエアー噴出口が配備されているが、図示の実施形態では、リブ４８の先端面と一側面にそれぞれエアー噴出口４９、５０が開口している。図示の実施形態では、リブ４８の先端面には１個のエアー噴出口４９が開口し、リブ４８の一側面には複数個（図では３個）のエアー噴出口５０が開口している。エアー噴出口が吸引胴４１の上端側に配備される位置、その数は図示の形態に限られないが、後述するように吸引胴４１が１８リッター缶１０内を昇降する際に、エアー噴出口と前記の吸込み口４５とが一体になって１８リッター缶１０内を昇降するように、図１〜図３に例示されているごとく、エアー噴出口と吸込み口４５とは近接して配備されていることが望ましい。
【００３４】
各エアー噴出口４９、５０は、リブ４８内に設けられたエアー通路（図には表れていない）を通して、エアー供給管４７と連通させてあり、エアー供給管４７を通して供給した圧縮空気が各エアー噴出口４９、５０から噴出できるようになっている。圧縮空気はエアー供給管４７のエアー供給口５１に接続した供給管（図示せず）を通して供給される。
【００３５】
図示の実施形態では、回転盤４２の上面に設けたリブ４８の一側面に形成されているエアー噴出口５０は、噴出するエアーが斜め上向きに方向付けられるように傾けて形成されている。また、リブ４８の先端面に形成されたエアー噴出口４９は、リブ４８の長手方向に向けて形成され、噴出するエアーがリブ４８の長手方向に方向付けられるようにされている。
【００３６】
このように構成されている除塵機構４０が、図示しない昇降機構（除塵機構４０を缶保持手段２０により地板１２の外側から保持されている１８リッター缶１０の方向に移動させて１８リッター缶１０内部に開口部１４を介して挿脱させる機構）によって、図１の矢示１、２のように昇降し、缶保持手段２０の下側に保持された１８リッター缶１０の内部に進入及び退避ができるようにされている。
【００３７】
また、吸引胴４１の中心軸に沿って設置した回転支持ロッド４６に対しては、図示しない回転駆動機構が連結され、除塵機構４０の昇降に際して、回転盤４２を、図３の矢示３の方向に回転できるようになっている。
【００３８】
図示の実施形態の缶の清掃装置には、更に、１８リッター缶１０の胴部１１の一つの角に沿って、溶接などによって形成されている接合部１５に先端開口が臨むエアー噴出ノズル５２も設けられている。
【００３９】
このエアー噴出ノズル５２は、除塵機構４０を構成した吸引胴４１に固定して設けられている。吸引胴４１の上端を塞いだ閉塞板４３の一隅から斜め下向きに延びて、先端開口が１８リッター缶１０の接合部１５に臨むようにされている。図はエアー噴出ノズル５２が１個の場合を示しているが、接合部１５が延びる縦方向に複数個設けることもできる。
【００４０】
吸引胴４１に設けたエアー噴出ノズル５２には、吸引胴４１を通して導入された図示しないエアー供給管が接続され、このエアー供給管を通して圧縮空気をエアー噴出ノズル５２に供給し、エアー噴出ノズル５２から１８リッター缶１０の接合部１５の内面に圧縮空気を噴出できるようにされている。
【００４１】
以上のように構成された缶の清掃装置で１８リッター缶１０の内部を以下のようにして清掃することができる。
【００４２】
胴部１１に地板１２が巻締められた１８リッター缶１０を、缶保持手段２０で図１図示のように天板の巻締め予定部である開口部１４を下向きにし、位置決めして保持し、次いで除塵機構４０を矢印１のように上昇させて１８リッター缶１０の内部に進入させる。この場合、例えば、除塵機構４０の回転盤４２が地板１２の内面に十分近接するまで上昇させる。
【００４３】
この除塵機構４０の矢印１、２方向の昇降動作の際に、回転盤４２を矢印３方向に回転させると共に、回転盤４２のリブ４８に形成したエアー噴出口４９、５０から圧縮空気を矢印４９ａ、５０ａのように噴出させる。また、排気胴４４に接続した集塵装置も動作させて、吸引胴４１に形成した吸込み口４５を通して、噴出させた圧縮空気の吸引を矢印４５ａのように行う。
【００４４】
除塵機構４０の上昇によって回転盤４２が１８リッター缶１０の地板１２に十分近接した後は、除塵機構４０を下降させ、１８リッター缶１０の缶外に退避させる。この除塵機構４０の下降の際も、エアー噴出口４９、５０からの圧縮空気の噴出と、吸込み口４５を通した圧縮空気の吸引を続行して行うようにする。
【００４５】
除塵機構４０の昇降に際して上記のように、回転盤４２を回転させながらエアー噴出口４９、５０から圧縮空気を噴出させると、地板１２の内面及び胴部１１の内面の全面に圧縮空気が吹き付けられる。このため、地板１２の内面および／または胴部１１の内面に付着していた金属粉その他の塵埃は、圧縮空気によって内面から除去され、圧縮空気の流れに乗って浮遊するようになる。そして、浮遊している塵埃は、吸引胴４１の側壁に形成した吸込み口４５に吸い込まれて集塵される。
【００４６】
回転盤４２に設けたエアー噴出口４９、５０と、吸引胴４１に形成した吸込み口４５は図１〜図３図示のように比較的近い位置関係にあり、また、回転盤４２と吸引胴４１は一体となって昇降するので、前記のように吹き付けられてエアーによって缶内部から除去された塵埃は、飛散によって地板１２または胴部１１の内面に再付着することなく、確実に集塵できる。こうして除塵機構４０の一回の昇降で十分な清掃が可能であり、清掃作業の能率向上を図ることができる。
【００４７】
例えば、胴部１１に地板１２が巻締められ、天板巻き締め予定部側が開口している１８リッター缶１０に、オイル等の収容物を装入し、天板を巻き締めて、密封する製造ラインにおいて、コンベアなどの搬送装置によって、前記の１８リッター缶１０を搬送している途中で、本発明の缶の清掃装置を用いて、前述した要領で、連続的に、効率よく清掃作業を行うことができる。
【００４８】
また、吸引胴４１側にエアー噴出ノズル５２を設けた図示の実施形態の清掃装置の場合、除塵機構４０の昇降の際に、エアー噴出ノズル５２からも圧縮空気を矢印５２ａのように噴出させる。エアー噴出ノズル５２から噴出した圧縮空気は、１８リッター缶１０の接合部１５に集中的に吹き付けられることとなるので、接合部１５に付着した塵埃をさらに確実に剥離させることができる。接合部１５から剥離した塵埃は、一部を吸込み口４５を通して集塵し、一部を１８リッター缶１０の開口部１４から外部に排出することができる。
【００４９】
エアー噴出口４９、５０から噴出させる圧縮空気は連続的な噴出で行うのが基本であるが、エアー供給手段を間欠供給手段として、圧縮空気を間欠的に噴出させて清掃することもできる。同様に、接合部１５に先端開口を臨ませたエアー噴出ノズル５２から噴出させる圧縮空気も、連続的な噴出が基本であるが、エアー供給手段を間欠供給手段として間欠的な噴出とすることもできる。
【００５０】
圧縮空気を連続的に噴出させるか間欠的に噴出させるかは、１８リッター缶１０の内面に付着している塵埃の性質によって決めることとなる。
【００５１】
以上、添付図面を参照して本発明の好ましい実施形態を説明したが、本発明はかかる実施形態に限定されるものではなく、特許請求の範囲の記載から把握される技術的範囲において種々の形態に変更可能である。
【００５２】
例えば、前述した実施形態では、除塵機構４０を缶保持手段２０により地板１２の外側から保持されている１８リッター缶１０の方向に移動させて１８リッター缶１０内部に開口部１４を介して挿脱させる機構が配備されていることにより、除塵機構４０が、図１の矢示１、２のように昇降し、缶保持手段２０の下側に保持された１８リッター缶１０の内部に進入及び退避ができるようにされていた。
【００５３】
これに替えて、１８リッター缶１０を地板１２の外側から保持している状態の缶保持手段２０を除塵機構４０の方向に移動させて、除塵機構４０を１８リッター缶１０内部に開口部１４を介して挿脱させる機構が配備されている形態にして、除塵機構４０の位置を固定しておき、１８リッター缶１０を地板１２の外側から保持している状態の缶保持手段２０を除塵機構４０の方向に移動させ、除塵機構４０を１８リッター缶１０内部に開口部１４を介して挿脱させることも可能である。
【００５４】
また、１８リッター缶１０を地板１２の外側から保持している状態の缶保持手段２０を除塵機構４０の方向に移動させて、除塵機構４０を１８リッター缶１０内部に開口部１４を介して挿脱させる機構と、除塵機構４０を缶保持手段２０により地板１２の外側から保持されている１８リッター缶１０の方向に移動させて１８リッター缶１０内部に開口部１４を介して挿脱させる機構との双方が配備されている形態にし、１８リッター缶１０を地板１２の外側から保持している状態の缶保持手段２０を除塵機構４０の方向に移動させると同時に、除塵機構４０を缶保持手段２０により地板１２の外側から保持されている１８リッター缶１０の方向に移動させ、除塵機構４０を缶保持手段２０により地板１２の外側から保持されている１８リッター缶１０内部に開口部１４を介して挿脱させるようにすることもできる。
【００５５】
更に、前述した実施形態では、清掃対象の缶が１８リッター缶である場合を用いて説明したが、本発明の缶の清掃装置によって清掃される缶は、これに限られず、地板が巻締められ、天板巻締め予定部側が開口している缶であって、当該缶の胴部及び地板から構成される缶内部に前記の天板巻締め予定部側に形成されている開口部を介して除塵機構が進入、退避できる形態の缶であれば、角缶、丸缶を問わず、いかなる缶も本発明の缶の清掃装置によって清掃することができる。
【図面の簡単な説明】
【００５６】
【図１】この発明の缶の清掃装置の一例を説明する正面図。
【図２】この発明の缶の清掃装置における除塵機構部分の一例を説明する正面図。
【図３】この発明の缶の清掃装置における除塵機構部分の一例を説明する斜視図。
【図４】この発明の缶の清掃装置における吸引胴部分の一例を説明する平面図。
【図５】この発明の缶の清掃装置における缶保持手段部分の一例を説明する下方から見た斜視図。
【符号の説明】
【００５７】
１０        １８リッター缶
１１        胴部
１２        地板
１３        端部
１４        開口部
１５        接合部
２０        保持する手段
２１        基板
２２        吸盤
４０        除塵機構
４１        吸引胴
４２        回転盤
４３        閉塞板
４４        排気胴
４５        吸込み口
４６        回転支持ロッド
４７        エアー供給管
４８        リブ
４９        エアー噴出口
５０        エアー噴出口
５１        エアー供給口
５２        エアー噴出ノズル
【図１】
2007209872.tif 000003
【図２】
2007209872.tif 000004
【図３】
2007209872.tif 000005
【図４】
2007209872.tif 000006
【図５】
2007209872.tif 000007